(57)【特許請求の範囲】
【請求項１】
プロジェクターであって、
画像を投写する画像投写部と、
前記プロジェクターの本体に備わる表示部と、
前記プロジェクターのＩＤ情報を記憶する記憶部と、
前記プロジェクターに対する指示を受け付ける指示受付部と、
前記指示受付部が第１の指示操作を受け付けた場合に、前記記憶部に記憶された前記ＩＤ情報を、前記画像投写部に投写させ、且つ、前記表示部に表示させる制御部と、を備え、
前記制御部は、前記ＩＤ情報および前記画像を点滅させずに投写する通常投写と、前記ＩＤ情報および前記画像を点滅させて投写する点滅投写と、を切り替え、
前記制御部は、前記ＩＤ情報に基づいて、前記通常投写と、前記点滅投写と、の切り替えを制御し、前記記憶部が第１の前記ＩＤ情報を記憶しているときの前記点滅投写と、前記第１の前記ＩＤ情報とは異なる第２の前記ＩＤ情報を前記記憶部が記憶しているときの前記点滅投写と、が重複しないように切り替ることを特徴とするプロジェクター。
【請求項２】
請求項１に記載のプロジェクターであって、
前記ＩＤ情報を投写表示する投写画像上の位置を決定する投写位置決定部をさらに有し、
前記制御部は、前記画像投写部に、前記投写位置決定部によって決定された投写画像上の位置に前記ＩＤ情報を投写表示させることを特徴とするプロジェクター。
【請求項３】
請求項２に記載のプロジェクターであって、
前記投写位置決定部は、前記指示受付部によって受け付けられた第２の指示操作に基づいて、前記ＩＤ情報を投写表示する投写画像上の位置を決定し、前記記憶部に記憶させることを特徴とするプロジェクター。
【請求項４】
請求項１乃至３のいずれか一項に記載のプロジェクターであって、
前記制御部は、前記指示受付部によって受け付けられた第３の指示操作に基づいて、前記ＩＤ情報を前記記憶部に記憶させることを特徴とするプロジェクター。
【請求項５】
請求項１乃至４のいずれか一項に記載のプロジェクターであって、
前記制御部は、前記指示受付部が前記第１の指示操作を受け付けた後、所定の時間、前記ＩＤ情報を、前記画像投写部に投写させ、且つ、前記表示部に表示させることを特徴とするプロジェクター。
【請求項６】
請求項１乃至５のいずれか一項に記載のプロジェクターであって、
前記制御部は、前記指示受付部が前記第１の指示操作を受け付けた場合、前記ＩＤ情報に応じた枠の画像を、前記画像投写部に投写させることを特徴とするプロジェクター。
【請求項７】
請求項６に記載のプロジェクターであって、
前記制御部は、前記指示受付部が前記第１の指示操作を受け付けた後、更に、第４の指示操作を受け付けた場合、前記画像投写部が投写している前記枠を変更することを特徴とするプロジェクター。
【請求項８】
請求項６または７のいずれかに記載のプロジェクターであって、
前記制御部は、前記枠の色を前記ＩＤ情報に応じて設定することを特徴とするプロジェクター。
【請求項９】
請求項６乃至８のいずれか一項に記載のプロジェクターであって、
前記制御部は、前記画像投写部が投写可能な領域の外縁部に前記枠の画像を投写させることを特徴とするプロジェクター。
【請求項１０】
画像を投写する画像投写部と、ＩＤ情報を記憶する記憶部と、を有するプロジェクターの制御方法であって、
前記プロジェクターは、前記プロジェクターの本体に備わる表示部をさらに備え、
前記プロジェクターに対する指示を受け付ける指示受付ステップと、
前記指示受付ステップによって、第１の指示操作を受け付けた場合に、前記記憶部に記憶された前記ＩＤ情報を、前記画像投写部に投写させ、且つ、前記表示部に表示させる制御ステップと、を備え、
前記制御ステップでは、前記ＩＤ情報および前記画像を点滅させずに投写する通常投写と、前記ＩＤ情報および前記画像を点滅させて投写する点滅投写と、を切り替え、
前記制御ステップでは、前記ＩＤ情報に基づいて、前記通常投写と、前記点滅投写と、の切り替えを制御し、前記記憶部が第１の前記ＩＤ情報を記憶しているときの前記点滅投写と、前記第１の前記ＩＤ情報とは異なる第２の前記ＩＤ情報を前記記憶部が記憶しているときの前記点滅投写と、が重複しないように切り替ることを特徴とするプロジェクターの制御方法。
【発明の詳細な説明】
【技術分野】
【０００１】  本発明は、プロジェクターおよびプロジェクターの制御方法に関する。
【背景技術】
【０００２】  従来、複数のプロジェクターを使って画像を投写するマルチプロジェクションシステムが知られている。マルチプロジェクションシステムでは、それぞれのプロジェクターの画像を別々の場所に投写する態様や、タイル状に並べて１枚の画像を形成して投写する態様、さらに、画像を重ねて投写（スタック投写）する態様等がある。このようなマルチプロジェクションシステムにおいて、複数のプロジェクターの設置位置と投写角度によっては、プロジェクターと投写画像との対応関係が分かりにくい場合があった。このように、どのプロジェクターがどの画像を投写しているのかが分からないと、それぞれのプロジェクターの投写画像の調整を行うとき、誤って違うプロジェクターの投写画像を調整してしまうことがある。そこで、特許文献１には、プロジェクター（表示制御装置）に設定されているＩＤを投写して、投写面に表示するプロジェクターが開示されている。
【先行技術文献】
【特許文献】
【０００３】
【特許文献１】特開２００８−１０２２４３号公報
【発明の概要】
【発明が解決しようとする課題】
【０００４】  しかしながら、特許文献１のプロジェクターのようにＩＤが投写面に投写されても、複数のプロジェクターがある場合には、どのプロジェクターから投写されているのかは分からないという問題があった。つまり、プロジェクターと投写画像との対応関係が分かりにくかった。このため、プロジェクターを操作してみて投写画像の変化を確認しないと、調整したいプロジェクターの判断が困難であった。
【課題を解決するための手段】
【０００５】  本発明は、上述の課題の少なくとも一部を解決するためになされたものであり、以下の形態または適用例として実現することが可能である。【０００６】  ［適用例１］本適用例に係るプロジェクターは、プロジェクターであって、画像を投写する画像投写部と、前記プロジェクターの本体に備わる表示部と、前記プロジェクターのＩＤ情報を記憶する記憶部と、前記プロジェクターに対する指示を受け付ける指示受付部と、前記指示受付部が第１の指示操作を受け付けた場合に、前記記憶部に記憶された前記ＩＤ情報を、前記画像投写部に投写させ、且つ、前記表示部に表示させる制御部と、を備えることを特徴とする。【０００７】  このようなプロジェクターによれば、画像投写部の他に、プロジェクターの本体に表示部を備える。記憶部は、プロジェクターのＩＤ情報を記憶する。指示受付部は、プロジェクターに対する指示を受け付ける。制御部は、指示受付部が第１の指示操作を受け付けた場合に、ＩＤ情報を、画像投写部に投写させ、且つ、表示部に表示させる。これにより、投写画像と表示部の両方にＩＤ情報が表示されるため、ユーザーは、プロジェクターと投写画像との対応関係を認識することが可能になる。【０００８】  ［適用例２］上記適用例に係るプロジェクターにおいて、前記ＩＤ情報を投写表示する投写画像上の位置を決定する投写位置決定部をさらに有し、前記制御部は、前記画像投写部に、前記投写位置決定部によって決定された投写画像上の位置に前記ＩＤ情報を投写表示させることを特徴とする。【０００９】  このようなプロジェクターによれば、投写位置決定部は、ＩＤ情報を投写表示する投写画像上の位置を決定する。制御部は、画像投写部に、決定された投写画像上の位置にＩＤ情報を投写表示させる。これにより、投写位置決定部によって決定された位置に、ＩＤ情報を投写表示することができる。【００１０】  ［適用例３］上記適用例に係るプロジェクターにおいて、前記投写位置決定部は、前記指示受付部によって受け付けられた第２の指示操作に基づいて、前記ＩＤ情報を投写表示する投写画像上の位置を決定し、前記記憶部に記憶させることを特徴とする。【００１１】  このようなプロジェクターによれば、投写位置決定部は、指示受付部によって受け付けられた第２の指示操作に基づいて、ＩＤ情報を投写表示する投写画像上の位置を決定して、記憶部に記憶する。これにより、ＩＤ情報を投写表示する投写画像上の位置を、第２の指示操作、即ちユーザー操作によって決定して、プロジェクターに記憶させることができる。【００１２】  ［適用例４］上記適用例に係るプロジェクターにおいて、前記制御部は、前記指示受付部によって受け付けられた第３の指示操作に基づいて、前記ＩＤ情報を前記記憶部に記憶させることを特徴とする。【００１３】  このようなプロジェクターによれば、制御部は、指示受付部によって受け付けられた第３の指示操作に基づいて、ＩＤ情報を記憶部に記憶させる。これにより、ＩＤ情報を、第３の指示操作、即ちユーザー操作によって、プロジェクターに入力して記憶させることができる。【００１４】  ［適用例５］上記適用例に係るプロジェクターにおいて、前記制御部は、前記指示受付部が前記第１の指示���作を受け付けた後、所定の時間、前記ＩＤ情報を、前記画像投写部に投写させ、且つ、前記表示部に表示させることを特徴とする。【００１５】  このようなプロジェクターによれば、制御部は、第１の指示操作を受け付けた後、所定の時間、ＩＤ情報を、画像投写部に投写させ、且つ、表示部に表示させる。これにより、所定の時間が経過するとＩＤ情報の投写および表示部上の表示は消去される。よって、ユーザーがＩＤ情報の消去を忘れても、所定の時間経過後に消去される。【００１６】  ［適用例６］上記適用例に係るプロジェクターにおいて、前記制御部は、前記ＩＤ情報および前記画像を点滅させずに投写する通常投写と、前記ＩＤ情報および前記画像を点滅させて投写する点滅投写と、を切り替えることを特徴とする。【００１７】  このようなプロジェクターによれば、制御部は、ＩＤ情報および投写画像を点滅させずに投写する通常投写と、ＩＤ情報および投写画像を点滅させて投写する点滅投写と、を切り替える。従って、通常投写または点滅投写に切り替えることにより、ＩＤ情報および投写画像と、プロジェクターと、の対応関係を容易に認識できる。【００１８】  ［適用例７］上記適用例に係るプロジェクターにおいて、前記制御部は、前記ＩＤ情報に基づいて、前記通常投写と、前記点滅投写と、の切り替えを制御し、前記記憶部が第１の前記ＩＤ情報を記憶しているときの前記点滅投写と、前記第１の前記ＩＤ情報とは異なる第２の前記ＩＤ情報を前記記憶部が記憶しているときの前記点滅投写と、が重複しないように切り替えることを特徴とする。【００１９】  このようなプロジェクターによれば、制御部は、通常投写と、点滅投写と、の切り替えをＩＤ情報に基づいて制御し、第１のＩＤ情報における点滅投写と、第２のＩＤ情報における点滅投写と、が重複しないように切り替える。従って、ＩＤ情報が異なる場合、プロジェクターは点滅投写が重複しないため、点滅投写しているＩＤ情報および投写画像と、プロジェクターと、の対応関係を容易に認識できる。【００２０】  ［適用例８］上記適用例に係るプロジェクターにおいて、前記制御部は、前記指示受付部が前記第１の指示操作を受け付けた場合、前記ＩＤ情報に応じた枠の画像を、前記画像投写部に投写させることが好ましい。【００２１】  このようなプロジェクターによれば、制御部は、指示受付部が第１の指示操作を受け付けた場合、ＩＤ情報に応じた枠の画像を画像投写部に投写させる。従って、プロジェクターのＩＤ情報が異なる場合、異なる枠の画像が投写されるため、投写したＩＤ情報が視認できないような状況であっても、枠の画像に基づいてプロジェクターを容易に識別できる。【００２２】  ［適用例９］上記適用例に係るプロジェクターにおいて、前記制御部は、前記指示受付部が前記第１の指示操作を受け付けた後、更に、第４の指示操作を受け付けた場合、前記画像投写部に投写している前記枠を変更することを特徴とするプロジェクター。【００２３】  このようなプロジェクターによれば、制御部は、指示受付部が第１の指示操作を受け付けた後、更に、指示操作を受け付けた場合、投写している枠を変更して投写する。従って、投写している枠が変更されることにより、指示操作しているプロ���ェクターの投写画像を容易に視認できる。【００２４】  ［適用例１０］上記適用例に係るプロジェクターにおいて、前記制御部は、前記枠の色を前記ＩＤ情報に応じて設定することが好ましい。【００２５】  このようなプロジェクターによれば、ＩＤ情報に応じて枠の色が設定されるため、枠の色を視認することで、枠を投写しているプロジェクターを容易に識別できる。【００２６】  ［適用例１１］上記適用例に係るプロジェクターにおいて、前記制御部は、前記画像投写部が投写可能な領域の外縁部に前記枠の画像を投写しても良い。【００２７】  ［適用例１２］本適用例に係るプロジェクターの制御方法は、画像を投写する画像投写部と、ＩＤ情報を記憶する記憶部と、を有するプロジェクターの制御方法であって、前記プロジェクターは、前記プロジェクターの本体に備わる表示部をさらに備え、前記プロジェクターに対する指示を受け付ける指示受付ステップと、前記指示受付ステップによって、第１の指示操作を受け付けた場合に、前記記憶部に記憶された前記ＩＤ情報を、前記画像投写部に投写させ、且つ、前記表示部に表示させる制御ステップと、を備えることを特徴とする。【００２８】  このようなプロジェクターの制御方法によれば、投写画像と表示部の両方にＩＤ情報が表示されるため、プロジェクターと投写画像との対応関係を認識することが可能になる。【００２９】  また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００３０】
【図１】実施形態１のプロジェクターの斜視図であり、（ａ）は、前方から見た斜視図、（ｂ）は、後方から見た斜視図。
【図２】プロジェクターの概略構成を示すブロック図。
【図３】筐体の背面の一部を表す説明図。
【図４】プロジェクターのＩＤ表示処理のフローチャート。
【図５】マルチプロジェクションシステムの説明図であり、（ａ）は、５台のプロジェクターの投写状態を表す説明図、（ｂ）は、画像を重ねて投写した場合の説明図。
【図６】プロジェクターの表示部に表示されるＩＤ番号の説明図であり、（ａ）は、ＩＤ情報が「１」の場合の説明図、（ｂ）は、ＩＤ情報が「２」の場合の説明図、（ｃ）は、ＩＤ情報が無い場合の説明図。
【図７】実施形態２におけるマルチプロジェクションシステムの説明図。
【図８】投写画像のブリンク表示を説明する図。
【図９】プロジェクターの構成を示すブロック図。
【図１０】５台のプロジェクターによる投写例を示す図。
【図１１】４台のプロジェクターの投写例を示す図。
【発明を実施するための形態】
【００３１】  （実施形態１）  以下、実施形態１として、ＩＤ情報を表示可能なプロジェクターについて説明する。
【００３２】  図１は、本実施形態１のプロジェクターの斜視図であり、（ａ）は、前方から見た斜視図であり、（ｂ）は、後方から見た斜視図である。  図１（ａ）に示すように、プロジェクター１は、装置本体を収容する筐体５を備えて構成されており、筐体５の前面５ｆには、投写レンズ１３が露出されており、この投写レンズ１３から、画像情報に基づく画像が前方の投写面（図１では図示せず）に投写される。
【００３３】  筐体５の側面５ｓには、画像情報が入力される画像情報入力部３０が備えられている。画像情報入力部３０には、入力端子３０ａが複数備えられている。
【００３４】  筐体５の背面５ｒには、情報を表示する表示部２８、および、ユーザーにより入力操作が行われる操作パネル２１が備えられている。
【００３５】  図２は、本実施形態１に係るプロジェクター１の概略構成を示すブロック図である。図２を使用して、プロジェクター１の内部構成について説明する。
【００３６】  プロジェクター１は、画像投写部１０、制御部２０、指示受付部としての操作パネル２１、光源制御部２２、記憶部２３、表示制御部２７、表示部２８、画像情報入力部３０、画像処理部３１、ＯＳＤ処理部３２等を備えている。これらの構成部は、筐体５（図１参照）に収容、または、配置されている。
【００３７】  画像投写部１０は、光源としての光源装置１１、光変調装置としての３つの液晶ライトバルブ１２Ｒ，１２Ｇ，１２Ｂ、投写レンズ１３、液晶駆動部１４等で構成されている。
【００３８】  光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３９】  液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等の投写面に拡大投写される。
【００４０】  制御部２０は、ＣＰＵ（Central Processing Unit）、各種データの一時記憶等に用いられるＲＡＭ、不揮発性のメモリーであるＲＯＭ（いずれも図示せず）等を備え、ＲＯＭに記憶されている制御プログラムに従ってＣＰＵが動作することにより、プロジェクター１の動作を統括制御する。制御部２０は、タイマー（図示せず）を有しており、所定の時間を計時することができる。
【００４１】  操作パネル２１は、プロジェクター１の筐体５の背面５ｒに備えられており、プロジェクター１に対して各種指示を行うための複数の操作キー（操作ボタン）等を備えている。
【００４２】  ここで、操作パネル２１について説明する。  図３は、筐体５の背面５ｒの一部を表す説明図である。図３に示すように、筐体５の背面５ｒには、表示部２８および操作パネル２１が備えられている。表示部２８は、液晶ディスプレイ等で構成されている。
【００４３】  操作パネル２１が備える操作キーとしては、電源のオン／オフを行うための電源キーＢ０や、入力された画像情報を切り換えるための入力切換キーＢ１、各種設定を行うためのメニュー画面の表示／非表示を切り換えるメニューキーＢ２、フォーカス調整を開始するためのフォーカス調整開始キーＢ３、ズーム調整を開始するためのズーム調整開始キーＢ４、ＩＤ表示を開始するためのＩＤ表示開始キーＢ５、メニュー画面におけるカーソルの移動や各レンズ調整状態における調整値の変更等に用いられるカーソルキーＢ６、各種設定を決定するための決定キーＢ７等がある。ユーザーが操作パネル２１を操作すると、操作パネル２１は、ユーザーの操作内容に応じた制御情報を制御部２０に出力する。
【００４４】  なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００４５】  図２に戻り、光源制御部２２は、制御部２０の指示に基づいて、光源装置１１に対する電力の供給と停止とを制御し、光源装置１１の点灯および消灯を切り換える。
【００４６】  記憶部２３は、不揮発性のメモリーからなり、ＩＤ情報や、ＩＤ情報を投写表示する投写画像上の位置情報等を記憶する。ユーザーによって、メニュー画面におけるＩＤ情報設定項目（図示せず）が選択されると、制御部２０は、ＩＤ情報およびＩＤ情報の投写位置情報の入力を受け付ける。具体的には、ＩＤ情報としてのＩＤ番号の入力（第３の指示操作）、および、投写位置の選択（第２の指示操作）を受け付ける。
【００４７】  投写位置の選択方法としては、ユーザーが画面上の任意の位置を指示してもよいし、画面を分割（例えば９分割）して、その中から選択してもよい。制御部２０は、受け付けたＩＤ情報および位置情報を、記憶部２３に記憶させる。このときの制御部２０が、投写位置決定部に相当する。そして、ユーザーによって、ＩＤ情報表示の操作がなされると、記憶部２３からＩＤ情報および位置情報を読み出して、投写画像および表示部２８に表示させる。
【００４８】  表示制御部２７は、表示部２８に対する画像表示を制御する。表示制御部２７は、図示しないＶＲＡＭ（Video RAM）を備えており、制御部２０の指示に基づいて、ＶＲＡＭ上に画面単位で、ＩＤ情報等の画像データを生成し、生成した画像データを表示部２８に出力して、画像データに基づく画像を表示部２８に表示させる。なお、プロジェクター１が入力画像に基づく画像を投写している通常の状態（ＩＤ情報、即ちＩＤ番号を表示していない状態）では、表示制御部２７は、入力画像の画像信号名等の情報を表示部２８に表示させている。
【００４９】  表示部２８は、例えば、液晶ディスプレイによって構成され、表示制御部２７から入力される画像データに応じた画像を表示する。なお、本実施形態１では、表示部２８を駆動する表示駆動部（図示せず）は、表示部２８に内蔵されているものとする。なお、表示部２８は液晶ディスプレイに限定するものではなく、他の表示装置によって構成されてもよい。
【００５０】  画像情報入力部３０は、複数の入力端子３０ａを備えており、パーソナルコンピューターやビデオ再生装置、メモリーカード、ＵＳＢストレージ、デジタルカメラ等、外部の画像供給装置（図示せず）から各種形式の画像情報（画像信号）が入力される。画像情報入力部３０は、制御部２０からの指示に基づいて画像情報を選択し、入力される画像情報を、画像処理部３１で処理可能な形式の画像データに変換して、画像処理部３１に出力する。
【００５１】  画像処理部３１は、制御部２０の指示に基づいて、画像情報入力部３０から入力される画像データに対して、明るさ、コントラスト、シャープネス、色合い等の調整や、ガンマ補正等の各種画質調整を施す。画像処理部３１は、このような調整および処理を行った画像データをＯＳＤ処理部３２に出力する。
【００５２】  ＯＳＤ処理部３２は、制御部２０の指示に基づいて、メニュー画面やメッセージ画面等のＯＳＤ（オンスクリーンディスプレイ）画像を、画像処理部３１から入力される画像データに重畳する処理を行う。ＯＳＤ処理部３２は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３２は、必要なＯＳＤ画像データをＯＳＤメモリーから読み出し、入力画像の所定の位置にＯＳＤ画像が重畳されるように、画像処理部３１から入力される画像データにこのＯＳＤ画像データを合成する。ＯＳＤ画像データが合成された画像データは、液晶駆動部１４に出力される。なお、制御部２０からＯＳＤ画像を重畳する旨の指示がない場合には、ＯＳＤ処理部３２は、画像処理部３１から出力される画像データを、そのまま液晶駆動部１４に出力する。
【００５３】  液晶駆動部１４が、ＯＳＤ処理部３２から入力される画像データに従って液晶ライトバルブ１２Ｒ，１２Ｇ，１２Ｂを駆動すると、液晶ライトバルブ１２Ｒ，１２Ｇ，１２Ｂは、光源装置１１から入射する光を、画像データに応じて画像光に変調し、この画像光が投写レンズ１３から投写される。
【００５４】  次に、プロジェクター１が、ＩＤ表示操作を受け付けた際に行う処理について、フローチャートを用いて説明する。  図４は、本実施形態１に係るプロジェクター１のＩＤ表示処理のフローチャートである。
【００５５】  ユーザーが操作パネル２１に備わるＩＤ表示開始キーＢ５を押下すると、制御部２０は、記憶部２３からＩＤ情報および投写位置情報を取得する（ステップＳ１０１）。ここで、ＩＤ表示開始キーＢ５の押下操作が、第１の指示操作に相当する。制御部２０はＯＳＤ処理部３２に指示を出し、ＩＤ情報に基づくＩＤ番号を、入力画像の投写位置情報に基づく位置に重畳表示させる（ステップＳ１０２）。制御部２０は、表示制御部２７に指示を出して、ＩＤ情報に基づくＩＤ番号を、表示部２８に表示させる（ステップＳ１０３）。
【００５６】  ここで、プロジェクター１と同様のプロジェクターを５台用いた場合のマルチプロジェクションシステムについて図を用いて説明する。  図５は、マルチプロジェクションシステムの説明図であり、（ａ）は、５台のプロジェクターの投写状態を表す説明図であり、（ｂ）は、画像を重ねて投写した場合の説明図である。
【００５７】  図５（ａ）に示すように、本実施形態１のマルチプロジェクションシステムは、５台のプロジェクター１ａ，１ｂ，１ｃ，１ｄ，１ｅによって構成されている。５台のプロジェクター１ａ，１ｂ，１ｃ，１ｄ，１ｅは、プロジェクター１と同様な構成のプロジェクターとする。５台のプロジェクター１ａ，１ｂ，１ｃ，１ｄ，１ｅは、重ねて設置されている。
【００５８】  ここで、プロジェクター１ａのＩＤ情報は「１」であり、ＩＤ情報の投写位置は投写画像の「左上」に設定されているものとする。プロジェクター１ｂのＩＤ情報は「２」であり、ＩＤ情報の投写位置は「左上」に設定されているものとする。プロジェクター１ｃのＩＤ情報は「３」であり、ＩＤ情報の投写位置は「左上」に設定されているものとする。プロジェクター１ｄのＩＤ情報は「４」であり、ＩＤ情報の投写位置は「右上」に設定されているものとする。プロジェクター１ｅのＩＤ情報は「５」であり、ＩＤ情報の投写位置は「左上」に設定されているものとする。
【００５９】  プロジェクター１ａの投写画像は画像Ｇ１であり、画像Ｇ１には、ＯＳＤ表示として「ＩＤ：１」という文字列が、左上に投写表示されている。プロジェクター１ｂの投写画像は画像Ｇ２であり、画像Ｇ２には、ＯＳＤ表示として「ＩＤ：２」という文字列が、左上に投写表示されている。プロジェクター１ｃの投写画像は画像Ｇ３であり、画像Ｇ３には、ＯＳＤ表示として「ＩＤ：３」という文字列が、左上に投写表示されている。プロジェクター１ｄの投写画像は画像Ｇ４であり、画像Ｇ４には、ＯＳＤ表示として「ＩＤ：４」という文字列が、右上に投写表示されている。プロジェクター１ｅの投写画像は画像Ｇ５であり、ＯＳＤ表示として「ＩＤ：５」という文字列が、左上に投写表示されている。画像Ｇ４および画像Ｇ５は、重ねて投写（スタック投写）されている。
【００６０】  また、図５（ａ）には、プロジェクター１ａの背面５ｒの拡大図が記載されている。プロジェクター１ａの背面５ｒの表示部２８には、「ＩＤ：１」という文字列が表示されている。また、図５（ａ）では図示していないが、プロジェクター１ｂ，１ｃ，１ｄ，１ｅの表示部２８にも、ＩＤ番号の文字列が表示されている。
【００６１】  図６は、プロジェクター１の表示部２８に表示されるＩＤ番号の説明図であり、（ａ）は、ＩＤ情報が「１」の場合の説明図であり、（ｂ）は、ＩＤ情報が「２」の場合の説明図であり、（ｃ）は、ＩＤ情報が無い場合の説明図である。  図６（ａ），（ｂ）に示すように、プロジェクター１（１ａ，１ｂ，１ｃ，１ｄ，１ｅ）の表示部２８には、記憶部２３に記憶されているＩＤ情報に基づいたＩＤ番号が表示される。具体的には、ＩＤ情報が「１」の場合は「ＩＤ：１」、ＩＤ情報が「２」の場合には「ＩＤ：２」というＩＤ番号の文字列が表示される。記憶部２３にＩＤ情報が記憶されていない場合は、図６（ｃ）に示すように、ＩＤ番号が無い旨を表す「ＩＤ：Ｎｏ」の文字列が表示される。
【００６２】  図５に戻り、図５（ｂ）の例では、画像Ｇ４および画像Ｇ５にはそれぞれ図や文字列が表示されている。そして、画像Ｇ４および画像Ｇ５が重ねて投写（スタック投写）されることで、画像Ｇ６のように表示される。このとき、ＩＤ番号の投写位置がずらして設定されているため、画像Ｇ６上において、ＩＤ番号は重ならない。
【００６３】  図４に戻り、制御部２０は、所定の時間として１分間を計時するタイマーをスタートする（ステップＳ１０４）。そして、制御部２０は、所定の時間が経過したか否かを判断する（ステップＳ１０５）。所定の時間が経過していれば（ステップＳ１０５：ＹＥＳ）、ステップＳ１０７に移行する。
【００６４】  所定の時間が経過していなければ（ステップＳ１０５：ＮＯ）、制御部２０は、ＩＤ表示終了操作がなされたか否かを判定する（ステップＳ１０６）。ここで、ＩＤ表示終了操作とは、決定キーＢ７の押下等とする。ＩＤ表示終了操作がなされていなければ（ステップＳ１０６：ＮＯ）、ステップＳ１０５に移行する。なお、図示は省略したが、所定の時間が経過する前に、ＩＤ表示開始キーＢ５が再押下された場合には、タイマーを再スタートして、ＩＤ表示時間を延長してもよい。
【００６５】  ＩＤ表示終了操作がなされていれば（ステップＳ１０６：ＹＥＳ）、制御部２０は、ＯＳＤ処理部３２に指示を出して、ＩＤ番号の投写を終了させる（ステップＳ１０７）。さらに、制御部２０は、表示制御部２７に指示を出して、ＩＤ番号の表示を終了させる。そして、ＩＤ番号表示前の表示状態にさせる（ステップＳ１０８）。そして、ＩＤ表示処理を終了する。
【００６６】  上述した実施形態１によれば、以下の効果が得られる。  （１）プロジェクター１は、画像投写部１０の他に、プロジェクター１の本体に表示部２８を備える。記憶部２３は、プロジェクター１のＩＤ情報を記憶する。制御部２０は、操作パネル２１に備わるＩＤ表示開始キーＢ５の押下操作を受け付けると、ＩＤ情報に基づくＩＤ番号を、画像投写部１０から投写させ、且つ、表示部２８に表示させる。これにより、投写画像と表示部２８の両方にＩＤ番号が表示されるため、ユーザーは、プロジェクターと投写画像との対応関係を認識することが可能になる。よって、複数のプロジェクターを用いたマルチプロジェクションシステムにおいても、ユーザーは、どのプロジェクターがどの画像を投写しているかを認識することが可能になるため、画像の調整等の際に有益である。
【００６７】  （２）プロジェクター１の記憶部２３は、ＩＤ情報を投写表示する投写画像上の位置である投写位置情報を記憶する。制御部２０は、投写位置情報に基づき、ＩＤ情報を投写する画像（入力画像）上の位置を決定する。そして、制御部２０は、ＯＳＤ処理部３２に、入力画像上にＩＤ番号を重畳表示させて、画像投写部１０に投写表示させる。これにより、記憶部２３に記憶されている位置に、ＩＤ番号を投写表示することができる。
【００６８】  （３）プロジェクター１によれば、ユーザーは、メニュー画面におけるＩＤ情報設定項目によって、ＩＤ情報およびＩＤ情報の投写位置情報を入力することができる。制御部２０は、入力されたＩＤ情報およびＩＤ情報の投写位置情報を、記憶部２３に記憶させる。これにより、ＩＤ情報であるＩＤ番号、および、ＩＤ番号を投写表示する投写画像上の位置を、ユーザー操作によって、設定することが可能になる。よって、ユーザーは、プロジェクター毎に任意のＩＤ番号を設定することができる。そして、プロジェクター毎にＩＤ番号の表示位置（投写位置）を異ならせることによって、マルチプロジェクションシステムにおいて、投写されるＩＤ番号が重なってしまう事態を回避することが可能になるため、有益である。
【００６９】  （４）プロジェクター１によれば、操作パネル２１に備わるＩＤ表示開始キーＢ５の押下操作を受け付けた後、所定の時間（１分間）、ＩＤ番号を投写させ、且つ、表示部２８に表示させる。これにより、所定の時間が経過するとＩＤ番号の投写および表示部２８上の表示は消去される。よって、ユーザーがＩＤ番号の消去操作を忘れても、所定の時間経過後に消去されるため、有益である。
【００７０】  （実施形態２）  次に、本発明の実施形態２について、図７を参照して説明する。尚、以下の説明では、実施形態１で既に説明した部分と同じ部分については、同一符号を付してその説明を省略する。  図７は、４台のプロジェクターによる投写を表す説明図である。実施形態２では、４台のプロジェクター１ａ，１ｂ，１ｃ，１ｄを重ねて設置した後、ＩＤ番号を投写させた状態を示している。
【００７１】  このような状態において、投写を開始した直後は、各プロジェクター１ａ，１ｂ，１ｃ，１ｄの投写角度調整や投写レンズの焦点位置が未調整であるため、投写される画像Ｇ１，Ｇ２，Ｇ３，Ｇ４は大きさ、角度および投写位置がそれぞれ異なることが想定される。  また、各画像Ｇ１，Ｇ２，Ｇ３，Ｇ４にはＯＳＤ表示として各ＩＤ番号が投写されているが、投写レンズ１３のフォーカス調整が実施される前の状態であるので、投写されているＩＤ番号の視認が難しいことが想定される。  本実施形態２では、制御部２０は、プロジェクター１が投写可能な領域の外縁部にＩＤ番号に対応する枠（フレーム）の画像を投写する。この場合、制御部２０は、枠の色をＩＤ番号に応じて決定する。即ち、制御部２０が決定する枠の色は、ＩＤ番号が異なる他のプロジェクター１が投写する枠の色と同じにはならない。尚、投写レンズ１３のフォーカスが未調整であっても、ユーザーは枠の色の違いを識別できる。  また、制御部２０は、枠を示す枠線の線種をＩＤ番号に応じて決定しても良い。これにより、ユーザーは、枠の色や線種から投写画像に対応するＩＤ番号を認識できる。
【００７２】  また、制御部２０は、投写位置の調整や画像のフォーカス調整等の操作（第４の指示操作）がユーザーにより指示されていることを検知した場合、投写している枠を変更する。本実施形態２では、制御部２０は、枠線の幅（太さ）を、操作されていない場合の幅と異なるように変更する。  例えば、図７において、ユーザーがプロジェクター１ａの投写状態を調整すべく操作した場合、プロジェクター１ａは、画像Ｇ１に投写されている枠線の幅を、他のプロジェクター１ｂ，１ｃ，１ｄが投写する枠線の幅の２〜３倍に拡大しても良く、また、プロジェクター１ａの解像度に対して所定の割合を乗じた幅値に拡大しても良い。これにより、ユーザーは、画像Ｇ１，Ｇ２，Ｇ３，Ｇ４の中から、操作しているプロジェクター１ａが投写している画像Ｇ１を識別できる。
【００７３】  また、制御部２０は、操作中であることを示す所定の色やデザインで枠を表示しても良い。例えば、操作されている枠を点滅して描画しても良い。また、変更する枠として使用する色、デザインおよび枠線の幅はユーザーが予め設定しても良い。  また、枠は、投写画像の周縁部の四辺を完全に覆う閉じた形状であっても良く、また、一部を開放した形状であっても良い。  尚、本実施形態２では、ユーザーがＩＤ表示開始キーＢ５を押下した場合、プロジェクター１は、ＩＤ番号の投写開始と連動して枠を投写する態様を想定するが、マルチプロジェクションシステムが起動された場合、ＩＤ表示開始キーＢ５の押下に依らず、所定の時間に亘り枠を投写する態様も想定できる。
【００７４】  上述した実施形態２によれば、実施形態１で述べた効果（１）〜（４）に加え、以下の効果を奏する。  （５）プロジェクター１は、ＩＤ表示開始キーＢ５の押下操作を受け付けて投写画像と表示部２８の両方にＩＤ番号を表示する場合、ＩＤ番号に応じた枠を生成し、生成した枠を投写領域の外縁部に投写する。また、プロジェクター１は、ユーザーによる操作を更に検知した場合、投写している枠線の幅を太くし、操作されているプロジェクター１の投写画像であることをユーザーに認知させる。従って、マルチプロジェクションシステムを構築した場合に、各プロジェクター１のフォーカスや投写位置が未調整状態であっても、投写画像とＩＤ番号とを関連付けて認知できることに加え、操作中のプロジェクター１が投写している投写画像を容易に識別できるため、プロジェクター１の調整を容易かつ迅速にできる。
【００７５】  なお、上述した実施形態に限定されず、種々の変更や改良等を加えて実施することが可能である。変形例を以下に述べる。
【００７６】  （変形例１）上記実施形態では、ＩＤ番号を投写および表示させる所定の時間を１分間としたが、１分間に限定するものではない。また、所定の時間の計時を行わず、ユーザーによってＩＤ表示終了操作がなされるまで、ＩＤ番号の投写および表示を継続する構成としてもよい。
【００７７】  （変形例２）上記実施形態では、操作パネル２１に備わるＩＤ表示開始キーＢ５の押下操作によって、ＩＤ番号を投写および表示させるものとしたが、メニュー画面にＩＤ情報表示項目（図示せず）を設けて、当該ＩＤ情報表示項目が選択されたときに、ＩＤ番号の投写および表示を行ってもよい。
【００７８】  （変形例３）上記実施形態では、メニュー画面におけるＩＤ情報設定項目（図示せず）によって、ＩＤ情報（ＩＤ番号）をプロジェクター１の記憶部２３に設定（記憶）するものとしたが、リモコン（図示せず）に数字キーやＩＤ情報設定キーを備え、これらのキーを用いて、ＩＤ情報をプロジェクター１の記憶部２３に設定する構成としてもよい。
【００７９】  （変形例４）上記実施形態では、投写画像上にＩＤ番号を投写表示させるものとしたが、当該ＩＤ番号および投写画像をブリンク表示させてもよい。例えば、ＩＤ表示開始から３０秒間ブリンク表示させることも可能である。こうすれば、投写画像を重ねて投写（スタック投写）する場合に、投写画像とプロジェクターとの対応関係を認識することが容易になる。
【００８０】  また、図８に示すように、ＩＤ表示が開始されると、プロジェクター１ａが投写する画像Ｇ１、プロジェクター１ｂが投写する画像Ｇ２、プロジェクター１ｃが投写する画像Ｇ３およびプロジェクター１ｄが投写する画像Ｇ４の何れか１つが、ＩＤ番号と共に点滅して投写（点滅投写）すると共に、他の３つは点滅することなく通常に投写（通常投写）を継続しても良い。
【００８１】  更に、画像を点滅投写するプロジェクター１は、ＩＤ情報に基づいて、順次切り替えるようにしてもよい。例えば、時間Ｔ１の時には、ＩＤ情報「１」を記憶部２３で記憶しているプロジェクター１ａがＩＤ番号（ＩＤ：１）と画像Ｇ１を点滅して投写する点滅投写を行い、他のプロジェクター（プロジェクター１ｂ、１ｃ、１ｄ）は通常投写を行う。  そして、時間Ｔ２の時には、ＩＤ情報「２」を記憶部２３で記憶しているプロジェクター１ｂは点滅投写を行い、他のプロジェクター（プロジェクター１ａ、１ｃ、１ｄ）は通常投写を行うようにし、時間Ｔ３の時にはＩＤ情報「３」を記憶部２３で記憶しているプロジェクター１ｃが点滅投写を行い、他のプロジェクター（プロジェクター１ａ、１ｂ、１ｄ）は通常投写を行うようにし、時間Ｔ４の時にはＩＤ情報「４」を記憶部２３で記憶しているプロジェクター１ｄが点滅投写を行い、他のプロジェクター（プロジェクター１ａ、１ｂ、１ｃ）は通常投写を行うようにしてもよい。
【００８２】  つまり、ＩＤ情報が異なる複数のプロジェクター１において、点滅投写する時間が重複することなく、点滅投写するプロジェクター１が順次切り替わるようにしてもよい。このとき、プロジェクター１の制御部２０は、記憶部２３が第１のＩＤ情報（例えばＩＤ情報「１」）を記憶している（または表示部２８で表示している）ときに点滅投写する時間と、記憶部２３が第１のＩＤ情報とは異なる第２のＩＤ情報（例えばＩＤ情報「２」）を記憶している（または表示部２８で表示している）ときに点滅投写する時間とが重複しないように、点滅投写と通常投写を切り替えるようにしてもよい。これにより、重畳して表示されている投写画像およびＩＤ番号と、プロジェクター１と、の対応関係の認識が容易になる。
【００８３】  尚、点滅投写においては、画像およびＩＤ番号が共に点滅する態様には限定されず、画像のみを点滅させる態様や、ＩＤ番号のみを点滅させる態様も想定できる。また、点滅する対象や、点滅投写と通常投写を切り替える時間間隔は、ユーザーが予め設定できるようにしてもよい。
【００８４】  （変形例５）上記実施形態では、メニュー画面におけるＩＤ情報設定項目において、ユーザーによるＩＤ番号の投写位置情報の入力を受け付けるものとした。しかし、図９のブロック図に示すように、マルチプロジェクションシステムを構成する複数のプロジェクター間で通信可能な通信部２４を各プロジェクターが有するものとし、プロジェクター間で通信を行うことで、ＩＤ番号が重ならないように、ＩＤ番号の投写位置を自動的に決定することも可能である。こうすれば、ユーザーによるＩＤ番号の投写位置情報の入力操作を省略することが可能になる。
【００８５】  （変形例６）上記実施形態では、メニュー画面におけるＩＤ情報設定項目において、ユーザーによるＩＤ番号の投写位置情報の入力を受け付けるものとしたが、予めＩＤ番号毎に、ＩＤ番号の投写位置が定められているものとしてもよい。こうすれば、ユーザーによるＩＤ番号の投写位置情報の入力操作を省略することが可能になる。
【００８６】  例えば、図１０の投写例に示すように、各ＩＤ番号が画像の左側の上下方向に配置されても良い。また、各画像Ｇ１〜Ｇ５を仮に重ねて投写した場合に各ＩＤ番号が重ならないような位置に、各ＩＤ番号を配置するように、予めＩＤ番号毎に、ＩＤ番号の投写位置が定められているものとしてもよい。例えば、図１０の投写例に示すように、各ＩＤ番号が上から下へ、重ならずに並んで投写されるように、各ＩＤ番号の投写位置が定められるようにしてもよい。この場合、各画像がスタック投写された場合であっても、ＩＤ番号の投写位置は重畳することなく、各ＩＤ番号の識別が容易にできる。  また、図１１の投写例に示すように、ＩＤ番号の投写位置は、各画像（Ｇ１〜Ｇ４）の配置に対応して自動調整される態様も想定できる。例えば、画像Ｇ１、画像Ｇ２、画像Ｇ３および画像Ｇ４が互いに隣接するように投写される場合、ＩＤ番号の投写位置は、それぞれ隣接する画像から離れる位置に決定されても良い。これにより、ＩＤ番号の視認性を良好に維持できる。
【００８７】  （変形例７）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００８８】  （変形例８）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００８９】  １，１ａ，１ｂ，１ｃ，１ｄ，１ｅ…プロジェクター、５…筐体、５ｆ…前面、５ｒ…背面、５ｓ…側面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、２２…光源制御部、２３…記憶部、２４…通信部、２７…表示制御部、２８…表示部、３０…画像情報入力部、３０ａ…入力端子、３１…画像処理部、３２…ＯＳＤ処理部、ＳＣ…スクリーン。
【図１】
0006500889.tif 000002
【図２】
0006500889.tif 000003
【図３】
0006500889.tif 000004
【図４】
0006500889.tif 000005
【図５】
0006500889.tif 000006
【図６】
0006500889.tif 000007
【図７】
0006500889.tif 000008
【図８】
0006500889.tif 000009
【図９】
0006500889.tif 000010
【図１０】
0006500889.tif 000011
【図１１】
0006500889.tif 000012